(57)【要約】【課題】  光源近傍の出射面の輝度が部分的に高くなり、明るさのムラが発生することを防止する。【解決手段】  導光板の出射面の一部に、出射面に略垂直に届いた光を、出射面に平行な方向へ傾ける偏向構造を設けることとした。実際には、出射面に対して３０度以下の角度で偏向構造から出光させればよい。偏向構造は、導光板の有効発光エリアより外側の外周領域のうち、入光面側の外周領域に設けられる。これにより、入光面近傍の出射面に発生するホットスポットを観察者が視認しにくくなり、明るさムラのない液晶表示装置が実現できる。【選択図】  図１
2012134124.tif 000002
【特許請求の範囲】
【請求項１】
側面から入射した光を導光して出射面から照射する導光板と、前記側面に対向して配置された点光源を備える照明装置において、
前記導光板は、入光面として機能する前記側面と、前記出射面と、前記出射面と対向する対向面を持ち、
前記対向面には、前記入光面から入光する光を前記出射面から垂直方向へ出射させるための反射体が形成され、
前記出射面の外周領域のうち、前記入光面側の外周領域に偏向構造が形成され、
前記偏向構造は、前記出射面に対して略垂直な方向で前記反射体から届いた光を、前記出射面に対して３０度以下の光として出光させることを特徴とする照明装置。
【請求項２】
前記点光源は複数個配列されており、前記点光源のそれぞれに対して、前記偏向構造が一対一に対応するように形成されたことを特徴とする請求項１に記載の照明装置。
【請求項３】
前記偏向構造は前記出射面に対して傾斜した傾斜面を持ち、前記傾斜面に前記導光板の内部から届いた光が、前記出射面に平行な方向へ変えて前記傾斜面から出光することを特徴とする請求項１または２に記載の照明装置。
【請求項４】
前記傾斜面は、前記出射面に凸状に形成されており、前記傾斜面の高さが、前記入光面側ほど高いことを特徴とする請求項３に記載の照明装置。
【請求項５】
前記傾斜面は、前記出射面に凹状に形成されており、前記傾斜面の深さが、前記入光面側ほど深いことを特徴とする請求項３に記載の照明装置。
【請求項６】
前記反射体は、前記点光源からの光を前記出射面に垂直な方向に変える反射面を有し、前記反射面が前記対向面と接する底辺は、前記点光源の中心と前記底辺の中心を結ぶ直線と、直交するように形成されたことを特徴とする請求項１〜４に記載の照明装置。
【請求項７】
前記反射体は、前記点光源からの光を前記出射面に垂直な方向に変える反射面を有し、前記反射面が前記点光源に向くように形成されたことを特徴とする請求項１〜４に記載の照明装置。
【請求項８】
前記反射体は、前記反射面と一つの曲面で構成されたことを特徴とする請求項７に記載の照明装置。
【請求項９】
請求項１〜８のいずれか１項に記載された構成の照明装置と、前記照明装置の出射面の側に設けられた液晶表示素子と、を備えることを特徴とする液晶表示装置。
【発明の詳細な説明】
【技術分野】
【０００１】
本発明は、平面発光型の照明装置に関し、特に点光源が側面に配置されたサイドライト型照明装置及びこれを備える液晶表示装置に関する。
【背景技術】
【０００２】
ノート型パーソナルコンピュータ、携帯電話、ＰＤＡ、電子辞書等の携帯機器等には液晶表示装置が広く利用されている。液晶パネルは自発光型ではないため、液晶パネルの背面に平面型の照明装置が配置される。携帯機器用の照明装置では、薄型化が求められるので、側面に光源を持つサイドライト型の照明装置が用いられる。サイドライト型の照明装置の光源には、薄型化に適した発光ダイオード（ＬＥＤ）が使用されている。ＬＥＤは、照明装置に対して十分に小さく、点光源として扱うことができる。ＬＥＤ等の点光源を用いた照明装置の場合、光源近傍が周囲より明るくなる現象が発生する。このような現象を「目玉」、あるいは「ホットスポット」と称している。この「ホットスポット」が発生すると照明装置の明るさにムラが生じてしまう。そこで、「ホットスポット」を低減、解消するために、導光板の入光側端部に発光面方向に延びる複数の溝を形成して、光を乱反射させて拡散する構成が知られている（例えば、特許文献１を参照）。このような構成の照明装置を図９に模式的に示す。図９（ａ）は、導光板３２を入光面３２ａ側から見たときの模式図であり、図９（ｂ）は照明装置の部分的な断面図である。図９（ｂ）に示すように、導光板３２の入光面３２ａに対向するようにＬＥＤ３１が配置されている。入光面３２ａ側の端部の表面に、溝３４が形成されている。溝３４は入光面３２ａから導光板３２の内部に向かって延びている。溝３４の断面形状は、ＬＥＤ３１から遠ざかるに従って徐々に浅くなり、溝端において深さが０となっている。発光ダイオード３１から出射した光は溝３４によって乱反射して導光板３２の内部を拡散して進行する。図９（ａ）に示すように、導光板３２の全幅にわたって複数の溝３４が形成されている。
【０００３】
また、他の従来例として、入光側端部の上面に遮光シートを設置する構成が知られている。このような照明装置の構成を図１０に模式的に示す。導光板２上面の光源４１近傍に遮光シート８が配置され、光源４１近傍の光を反射、あるいは、吸収する。さらに、従来の照明装置では、導光板２から出射する光の角度が出射面とほぼ平行である。このため、導光板２の上方に、拡散シート１１や二枚のプリズムシート１２、１３を配置して、出射面から垂直方向に出射する光を多くしている。
【先行技術文献】
【特許文献】
【０００４】
【特許文献１】特開２００６−１７１２５３号公報
【発明の概要】
【発明が解決しようとする課題】
【０００５】
特許文献１の照明装置では、「ホットスポット」を防止するために、導光板表面の入光面側に発光面方向に延びる複数の溝を形成して、光を乱反射させて拡散させている。すなわち、光を拡散させているため、「ホットスポット」の低減はできても解消はできない。
【０００６】
一方、遮光シートを用いた構成では、「ホットスポット」を解消できるが、構成部材が増える。また、遮光シートにより、一部の光が吸収されるため、輝度が低下する。
【０００７】
このように、従来の構成では、「ホットスポット」を解消できず、さらに、構成部材が増え、輝度が低下する、という課題があった。
【課題を解決するための手段】
【０００８】
そこで、本発明では、導光板の出射面の一部に偏向構造を設けることとした。この偏向構造は、出射面に略垂直に届いた光を、出射面に平行な方向へ傾ける機能を備えている。実際には、出射面に対して３０度以下の角度で出光させればよい。この偏向構造は出射面に形成される。詳しくは、導光板の有効発光エリアより外側の外周領域のうち、入光面側の外周領域に設けられる。これにより、入光面近傍の出射面に発生するホットスポットを観察者が視認しにくくなる。
【０００９】
また、複数の点光源が入光面に対向するように配列している場合、この偏向構造を、それぞれの点光源と一対一に対応するように形成した。このとき、点光源のない領域、すなわち、点光源と対向しない入光面に近接する出射面には偏向構造が設けられていない。
【００１０】
偏向構造は出射面に対して傾いた傾斜面を含んでおり、有効発光エリアの外側から出射する光のうち、該傾斜面に届いた光が出射面に平行な方向へ屈折されて出光する。
【００１１】
傾斜面は出射面に凸状または凹状に形成できる。このとき、入光面側の高さまたは深さが、有効発光エリア側より入光面側が大きい。傾斜面の傾きは１０度以下が、高さは０．１ｍｍ以下が望ましい。
【００１２】
また、点光源からの光を出射面に垂直な方向の光にするために、導光板の裏面には反射体が全面に設けられている。反射体は、点光源からの光を出射面に垂直な方向に変える反射面を有し、反射面が点光源に向くように形成されている。
【００１３】
さらに、本発明の液晶表示装置は、前述したいずれかの構成の照明装置の出射面側に、液晶表示素子を配置することとした。
【発明の効果】
【００１４】
有効発光エリアより入光面側の導光板の出射面に、偏向構造を形成した。偏向構造は、この出射面に垂直に届く光を出射面と平行な方向へ偏向する機能を持っている。これにより、ムラのない照明装置および液晶表示装置が実現する。
【図面の簡単な説明】
【００１５】
【図１】本発明に係る照明装置の構成を模式的に示す断面図である。
【図２】実施例１の照明装置と従来の照明装置を比較する上視図である。
【図３】実施例１に係る照明装置の構成を模式的に示す斜視図である。
【図４】偏向構造の形状を示す模式図である。
【図５】反射体の形状例を示す模式図である。
【図６】実施例２に係る液晶表示装置の構成を模式的に示す断面図である。
【図７】実施例２に係る液晶表示装置の構成を模式的に示す断面図である。
【図８】実施例２に係る液晶表示装置の構成を模式的に示す断面図である。
【図９】従来の照明装置の構成を模式的に示す断面図である。
【図１０】従来の照明装置の構成を模式的に示す断面図である。
【図１１】反射体の配置を説明するための照明装置の模式図である。
【図１２】反射体の形状例を示す模式図である。
【発明を実施するための形態】
【００１６】
本発明は、導光板の側面に点光源が配置されたサイドライト型の照明装置に関する。導光板は、光が入光する側面（入光面）と、照射光を出射する出射面と、出射面と対向した対向面（裏面）を備えている。この対向面には、入光面から入光した光を出射面から垂直方向へ出射させるために、反射体が設けられている。点光源は入光面に対向するように配置される。導光板には有効発光エリアが設定されており、この有効発光エリアと入光面の間の出射面に偏向構造が形成されている。すなわち、偏向構造は、出射面の外周領域のうち、入光面側の外周領域に設けられている。外周領域とは有効発光エリアの外側から側面に至るまでの領域に相当する。偏向構造は、反射体で反射された光を、出射面に平行な方向へ変えて出光する。このように、光の進行方向を特定の方向に変える機能を偏向機能という。ここで、偏向構造は、出射面に対して略垂直な方向で届いた光を、出射面に対して３０度以下の光として出光させる機能を持っていればよい。したがって、ここでは、「出射面に平行な方向へ変えて」とは「出射面に対して３０度以下の光として」と実質的に同一と見做すことができる。
【００１７】
以下、図１（ａ）を参照して本発明の照明装置を説明する。図１（ａ）は照明装置の断面構成を示す概略図である。点光源１が導光板２の入光面に対向するように設けられている。導光板は、照射光を出射する出射面３、出射面と対向した対向面４を備えている。この対向面４には、点光源１からの光を出射面から垂直方向へ出射させるために、反射体５が形成されている。出射面３の外周領域のうち、入光面側の外周領域に偏向構造６が形成されている。偏向構造６は、出射面３に対して略垂直な方向で届いた光（実質的には、反射体で反射された光）を、出射面に対して３０度以下の光として出光させる。
【００１８】
このような構成によれば、ホットスポットが発生しやすい領域、すなわち、入光面側の外周領域から出向する光は、出射面に垂直ではなく、出射面に対して浅い角度になる。そのため、観察者に届かなくなり、ホットスポットとして視認されることがない。したがって、光源近傍でも輝度ムラのない照明装置が実現できる。
【００１９】
また、導光板の大きさに応じて点光源が複数使用される。このとき、偏向構造を、点光源１に一対一に対応するように形成し、点光源のない位置には形成しないように構成してもよい。偏向構造は、出射面に対して傾斜した出光面を持ち、有効発光エリアの外側から出射する光のうち、該出光面に届いた光を出射面に平行な光に偏向するように形成されている。
【００２０】
また、偏向構造を出射面に対して傾斜した傾斜面で構成し、この傾斜面に偏向機能を持たせることができる。
以下、本発明の実施例を、図面に基づいて具体的に説明する。
【実施例１】
【００２１】
実施例１の照明装置を、図１を用いて説明する。図示するように、点光源１が導光板２の側面（入光面）と対向するように配置されている。導光板２の下方には反射シート７が配置されている。導光板２は出射面３と対向面４を有する平板形状であり、対向面４の全面には反射体５が形成されている。反射体５は、点光源１から出射した光を出射面３に垂直な方向へ偏向する。また、有効発光エリア（図示しない）より入光面側の出射面３には偏向構造６が形成されている。偏向構造６の直下にも反射体５は形成されている。偏向構造６は出射面３から垂直な方向に出ようとする光を、出射面３と平行な方向へ屈折により偏向する。すなわち、有効発光エリアの外側から出射する光は偏向構造６によって、出射面３と平行な方向へ偏向されて出光する。出射面３から垂直に出射した光は、明るさに寄与するが、出射面３と平行に出射した光は明るさに寄与しない。なぜなら、出射面３と平行に出射した光は観察者には届かない。そのため、照明装置を上視した場合に、点光源１付近が明るく見える「目玉」、「ホットスポット」と呼ばれる現象は発生しない。
【００２２】
この偏向構造６は、導光板２の出射面３に対して傾いた傾斜面を持っている。導光板２内を導光して傾斜面に届いた光は、出射面３と平行な方向になって傾斜面から出光する。このように、偏向構造６は下方から届いた光の方向を変えて出光する傾斜面（出光面）を備えている必要がある。傾斜面は一つでも良いし、複数でも良い。
【００２３】
図１（ａ）は、複数の傾斜面が連続的に形成された偏向構造６を表している。一方、図１（ｂ）は、一つの傾斜面で構成された偏向構造６を表している。どちらの偏向構造６でも同等の効果がある。偏向構造６の性能は、傾斜面が出射面３となす角度によって決定される。この角度を５〜１０度に設定することが望ましい。１０度程度が最も望ましい。
【００２４】
図２は、照明装置を模式的に示す上視図である。図２（ａ）は、従来の照明装置の上視図である。点光源１が導光板２の入光面に対向して配置されている。点光源１の近傍には周囲よりも明るく光る箇所（ホットスポット９）が発生する。図２（ｂ）は、遮光シート８を用いた従来の照明装置の正面図である。観察者がホットスポット９を視認できないように、導光板２の上に遮光シート８が配置されている。このとき、有効発光エリア１０は遮光シート８の開口よりも小さい面積である。一方、図２（ｃ）は、本実施例の照明装置の上視図である。断面構成は図１（ｂ）で示した形状である。図示するように、有効発光エリア１０よりも外側（入光面側）に偏向構造６が形成されている。ホットスポットが発生する領域、すなわち、入光面（点光源）近傍の出射面３に偏向構造６が設けられているため、ホットスポットが発生しない。従って、遮光シート８が不要となり、さらに、有効発光エリア１０を広く設定することができる。
【００２５】
偏向構造６の具体的な形状を図４に例示する。図４（ａ）は、出射面３に凸状の偏向構造６が形成された照明装置を模式的に示す部分断面図である。偏向構造６は出射面３に対して傾いた複数の傾斜面１６で構成されている。各傾斜面１６は光源側の方が高くなるように形成されている。ここでは、各傾斜面１６は平面であり、導光板２の全幅にわたって形成されている。出射面からの傾斜面の高さＨは０．０１〜０．１ｍｍ程度が好ましい。また、導光板２の対向面４には図示しない反射体が分散して形成されている。点光源１から導光板２に入射した光は、反射体により出射面３に略垂直な光となって出射面３から出る。傾斜面１６の下にも反射体は形成されている。そのため、傾斜面１６にも出射面に略垂直な方向の光が下側から届く。この光は傾斜面１６で屈折して方向が変えられる。そして、出射面とのなす角が３０度以下の光となって傾斜面から出光する。
【００２６】
このような構成によれば、偏向構造が形成された領域から出る光は、出射面に対して浅い角度で出光することになるので、観察する者に届かない。すなわち、ホットスポットが生じないことになる。
【００２７】
図４（ｂ）は、出射面３に凹状の偏向構造６が形成された照明装置を模式的に示す部分断面図である。凹状である以外は、図４（ａ）の構成と同様なので、重複する説明は省略する。ここでは、傾斜面１６は光源側の深さを浅く、光源から離れるにつれて深くなるように形成されている。図示するように、出射面３からの傾斜面の深さをＤとすると、深さＤは０．１ｍｍ以下が好ましい。
【００２８】
図４（ｃ）、図４（ｄ）は、偏向構造６を構成する傾斜面１６が曲面である照明装置を模式的に示す部分断面図である。これ以外は、図４（ａ）の構成と同様なので、重複する説明は省略する。いずれも偏向構造６は出射面３に凸状であるが、図４（ｃ）では、傾斜面１６は凹状の曲面で構成されている。図４（ｄ）では、傾斜面１６は凸状の曲面で構成されている。
【００２９】
次に、導光板２の対向面４に形成される反射体５の形状を図に基づいて説明する。反射体５は点光源１の光を出射面に垂直方向の光として届けるために重要である。図１に示したように、反射体５は対向面４に窪んだ形状で形成される。反射体５は、点光源１から出射した光を出射面３に垂直な方向の光に偏向する機能を備えている。反射体の具体的な形状を図５に示す。図５（ａ）は、正三角錐の反射体５を示す上視図である。反射体５は点光源１からの光を効率良く反射するために平滑な反射面５ａを備えている。この反射面５ａは点光源１に向けて配置されている。すなわち、三角錐を構成する３つの側面のうち、光源側に向いた側面が反射面５ａである。点光源１の出射光は反射面５ａで反射して方向を変え、出射面３に対して垂直な方向で出射面３から出光する。観察者はこの光により表示を視認することができる。反射面５ａが対向面４と接する辺を底辺５ｃとすると、底辺５ｃが、点光源１と底辺５ｃの中心を結ぶ直線と垂直に交わるように構成する。これにより、反射効率が高くなる。以下、いろいろな形状の反射体を例示するが、重複する説明は適宜省略する。なお、図５で例示する反射体５では、反射面５ａは対向面と接する底辺５ｃを含んでいる。
【００３０】
図５（ｂ）及び図５（ｃ）は、正四角錐の反射体５を表している。図５（ｂ）は上視図であり、図５（ｃ）は図５（ｂ）のＡＢ線による断面図である。図示するように、四角錐を構成する４つの側面のうち、光源側に向いた側面が反射面５ａである。当然ながら、反射面５ａと他の側面の底角（対向面とのなす角）は等しくなっている。
【００３１】
図５（ｄ）及び図５（ｅ）は、円錐を切り欠いた形状の反射体５を表している。ここで図５（ｄ）は上視図であり、図５（ｅ）は図５（ｄ）のＡＢ線による断面図である。図示するように、この反射体５は、円錐を円錐の稜線と同じ角度で切り欠いた形状である。そして、切断面が反射面５ａとなり、反射面５ａは光源側に向いている。反射体５は反射面５ａと一つの側面によって構成されている。この側面は曲面５ｂである。当然ながら、反射面５ａと曲面５ｂの底角は等しくなっている。側面を曲面で構成することにより、側面で反射する光が特定の方向に進むことを防げる。そのため、輝度ムラを低減できる。
【００３２】
図５（ｆ）は、四角柱と円錐を組み合わせた形状の反射体５を表す上視図である。反射面５ａの両側の側面は曲面５ｂであり、この曲面５ｂが円錐を構成する面の一部と同形状になっている。
【００３３】
また、いずれの反射体５でも反射面５ａと対向面４のなす角度（すなわち、底角）は３０〜６０度が望ましい。出射面３から垂直に出射する光を最も多くするためには、４８度で形成するのが最適である。底辺５ｃまたは反射体５の奥行きは、５０μｍ以下が望ましく、２０μｍ以下で形成されることが最も望ましい。
【００３４】
ここで、反射体５の配置について図１１を用いて説明する。図１１は照明装置を模式的に示す上視図である。多数の反射体５が導光板２の裏面（対向面）に形成されている。図１１では、全ての反射体５の形状は同一である。実際には、反射体は導光板２の対向面４に窪んで形成されている。図示するように、複数の点光源１が導光板２の入光面に対向するように配置されている。反射体５が導光板２の対向面４と接する底辺５ｃは、いずれかの点光源１とその反射体５を結ぶ直線と垂直になっている。そのため、これ以外の点光源１からの光は曲面５ｂに入射する。曲面５ｂでは光は特定の方向に反射されない。したがって、曲面で反射した光は散乱光となり、観察者に輝点として視認させることがない。このように、点光源１ａに向けて配置された反射体と点光源１ｂに向けて配置された反射体が混在している。
【００３５】
図１２に、上視形状が楕円（ここでは、円も楕円の一形態と見做す）の反射体５を例示する。この反射体５は、底辺５ｃを持たない点で図５に示した反射体５と異なっている。そのため、重複する説明は適宜省略する。
【００３６】
図１２（ａ）、図１２（ｂ）に半球を切り欠いた形状の反射体５を示す。図１２（ａ）は上視図であり、図１２（ｂ）は図１２（ａ）のＡＢ線での断面図である。図１２（ｃ）、図１２（ｄ）に円錐を切り欠いた形状の反射体５を示す。図１２（ｃ）は上視図であり、図１２（ｄ）は図１２（ｃ）のＡＢ線での断面図である。図１２（ｅ）、図１２（ｆ）に円錐を切り欠いた形状の反射体５を示す。図１２（ｅ）は上視図であり、図１２（ｆ）は図１２（ｅ）のＡＢ線での断面図である。図１２に示すように、これらの反射体５は反射面５ａと一つの曲面５ｂで構成されている。また、図５で示した反射体５と同様に、反射面は点光源１に向くように形成されている。すなわち、図１２（ｂ）に示すように、反射面５ａの法線５ｄを、出射面３に垂直なベクトル５ｅと平行なベクトル５ｆに分解したとき、ベクトル５ｆは点光源１と反射体５を結ぶ直線に平行となる。
【００３７】
なお、点光源１としてＬＥＤを使用することができる。また、導光板２の材質として、アクリル（ＰＭＭＡ）、ポリカーボネート、シクロオレフィンポリマー等の透光性プラスチック材料やガラスを使用することができる。反射体５と偏向構造６は、導光板２を射出成形によって作製する際に同時に形成することができる。したがって、導光板２と反射体５と偏向構造６は一体的に形成される。
【実施例２】
【００３８】
図３は、本実施例に係る照明装置を模式的に示す斜視図である。本実施例では偏向構造６が点光源１に対して、一対一の関係で形成されている。すなわち、導光板の全幅にわたって偏向構造６が設けられておらず、点光源１から離れた位置には偏向構造６が形成されていない。このように、ホットスポットの発生し易い領域のみに偏向構造６を形成することにより、点光源１の近傍の光を選択的に出射面３に平行方向の光に偏向して出射させることができる。これ以外は、実施例１の構成と同様なので、重複する説明は省略する。
【００３９】
図３（ａ）に示す照明装置では、凸形状の偏向構造６が点光源１と対向する位置の出射面３に設けられている。偏向構造６を構成する傾斜面は矩形である。図３（ｂ）に示す照明装置では、偏向構造６を構成する傾斜面は階段形状になっており、隣接する偏向構造が点光源１から遠い部分で繋がっている。図３（ｃ）に示す照明装置では、偏向構造６を構成する傾斜面は扇形である。ここでは、隣接する扇型の偏向構造６は分断しているが、光源間の距離や輝度等によっては、接触するように構成されることもある。
【００４０】
図３に示した照明装置では凸状の偏向構造６を用いているので、偏向構造６の高さが点光源１側で高く、点光源１から離れた位置で低くなるように形成されている。すなわち、偏向構造６の傾斜面の高さが点光源に近いほど高くなっている。しかしながら、凹状の偏向構造６を用いることもできる。凹形状の偏向構造では、点光源１側の深さを浅く、点光源１から離れた位置の深さを深く形成すれば良い。いずれにしろ、偏向構造の形状は例示した形状に限定されるものではなく、偏向構造６に導光板２内から略垂直に入射した光が、出射面と平行な方向へ傾いて出光する（すなわち、偏向する）形状であれば良い。
【実施例３】
【００４１】
本実施例では、実施例１、２で説明した構成の照明装置を用いた液晶表示装置を説明する。そのため、照明装置についての詳細な説明は省略する。
【００４２】
図６は、液晶表示装置の断面構成を示す模式図である。照明装置の出射面の上方に液晶表示素子１４が配置されている。図示するように、導光板２と液晶表示素子１４の間には拡散シート１１が配置される。液晶表示素子１４は、液晶パネルと、その上下面に貼り付けられた偏光板を備えている。液晶パネルは、２枚のガラス基板をシール材により間隙を持って接合されており、その間隙に液晶が封入されている。
【００４３】
図７及び図８は、上述の液晶表示装置を筺体２２に組み込んだ状態を模式的に示す断面図である。筐体に組み込んで固定することにより表示品位や強度が確保される。図７に示す液晶表示装置では、照明装置は筐体２２に収納され、液晶表示素子１４は筐体２２のフック２３によって固定される。筐体２２は、ポリカードネートなどの樹脂を用いて、射出成形によって形成される。筐体２２の材料には、導光板２からの漏れ光を反射させて再利用するために、反射率の高い白色樹脂が適している。図８に示す液晶表示装置では、照明装置は筐体２２によって保持されており、液晶表示素子１４は筐体２２の勘合機構２４と上フレーム２５の勘合機構２６によって固定される。上フレーム２５に、ステンレス材やアルミニウム材などの金属板を用いる。上フレーム２５に金属材料を使用すれば、板金加工によって容易に形成できるだけでなく、静電気が帯電しにくくなる。そのため、静電気破壊による故障を防ぐことができる。
【産業上の利用可能性】
【００４４】
輝度ムラの小さい照明装置なので、透過型の表示装置に適応できる。
【符号の説明】
【００４５】
１  点光源
２  導光板
３  出射面
４  対向面
５  反射体
５ａ  反射面
５ｂ  曲面
５ｃ  底辺
５ｄ  法線
５ｅ  ベクトル
５ｆ  ベクトル
６  偏向構造
７  反射シート
８  遮光シート
９  ホットスポット
１０  有効発光エリア
１１  拡散シート
１２  プリズムシート
１３  プリズムシート
１４  液晶表示パネル
１６  傾斜面
２２  筐体
２３  フック
２４、２６  勘合機構
２５  上フレーム
３１  ＬＥＤ
３２  導光板
３２ａ  入光面
３３  出射面
３４  溝
【図１】
2012134124.tif 000003
【図２】
2012134124.tif 000004
【図３】
2012134124.tif 000005
【図４】
2012134124.tif 000006
【図５】
2012134124.tif 000007
【図６】
2012134124.tif 000008
【図７】
2012134124.tif 000009
【図８】
2012134124.tif 000010
【図９】
2012134124.tif 000011
【図１０】
2012134124.tif 000012
【図１１】
2012134124.tif 000013
【図１２】
2012134124.tif 000014